(57)【要約】【課題】消費者に似合うヘアスタイルを客観的な手法で判断し、提示する。【解決手段】複数の頭部画像についての、顔型形状データと、毛髪領域を複数領域に区分した場合の特定領域同士の面積の対比データ（髪型形状データ）と、顔型とヘアスタイルの似合いの評価から得られた、顔型とヘアスタイルの似合いの評価の高い顔型形状データと髪型形状データとの関係（似合い関係）に基づき、任意の被験者について顔型とヘアスタイルの似合いを評価する。【選択図】図１
2011101823.tif 000002
【特許請求の範囲】
【請求項１】
複数の頭部画像についての
(a)顔型形状データ、
(b)毛髪領域を複数領域に区分した場合の特定領域同士の面積の対比データ（以下、髪型形状データという）、及び
(c)顔型とヘアスタイルの似合いの評価
から得られた、顔型とヘアスタイルの似合いの評価の高い顔型形状データと髪型形状データとの関係（以下、似合い関係という）に基づき、任意の頭部画像の顔型と任意の頭部画像のヘアスタイルの似合いを評価するヘアスタイルアドバイス方法であって、
(a)顔型形状データとして、頭部画像における、両眼の中心を通る直線（以下、眼ラインという）に平行で上唇の最上部を通る直線上の顔の輪郭線の幅（以下、顎幅という）Ｘ1 と眼ライン上の顔の輪郭線の幅（以下、顔幅という）Ｘ2 との比Ｘ1/Ｘ2（以下、顎幅比という）、及び眼ラインに平行で顎の最下部を通る直線と眼ラインとの距離（以下、顔長さという）Ｙ1 と顔幅Ｘ2 との比Ｙ1/Ｘ2（以下、顔長さ比という）を使用し、
(c)顔型とヘアスタイルの似合いの評価として、頭部画像に対して複数の美容専門家から取得した似合いの良否についての評価スコアの平均値を使用するヘアスタイルアドバイス方法。
【請求項２】
被験者の頭部画像を取得し、
その顔型形状データと髪型形状データを求め、
前記似合い関係に基づき、被験者の顔型と被験者のヘアスタイルの似合いを評価する請求項１記載のヘアスタイルアドバイス方法。
【請求項３】
複数のヘアスタイル画像をその髪型形状データと共に蓄積し、
一方、被験者の頭部画像を取得し、その顔型形状データを求め、
前記似合い関係に基づき、被験者の顔型形状データから被験者の顔型に似合うヘアスタイルの髪型形状データを得、
得られた髪型形状データを有するヘアスタイル画像を、前記複数のヘアスタイル画像の中から選択し、提示する請求項１記載のヘアスタイルアドバイス方法。
【請求項４】
髪型形状データとして、頭部画像における、眼ラインに平行で頭頂部を通る直線と眼ラインに平行で左右の眉の最上部の高い方を通る直線（以下、眉ラインという）との間の毛髪領域の面積を髪トップ面積Ａ1、眼ラインに平行で上唇の最上部を通る直線（以下、上唇ラインという）と眉ラインとの間の毛髪領域の面積を髪ミドル面積Ａ2、眼ラインに平行で鎖骨の最上部を通る直線と上唇ラインとの間の毛髪領域の面積を髪ボトム面積Ａ3 とした場合に、髪トップ面積Ａ1 と髪ミドル面積Ａ2 との比Ａ1/Ａ2（以下、トップボリューム比という）、及び髪ボトム面積Ａ3 と髪ミドル面積Ａ2 との比Ａ3/Ａ2（以下、ボトムボリューム比という）を使用する請求項１〜３のいずれかに記載のヘアスタイルアドバイス方法。
【請求項５】
画像の取得手段、演算手段及び画像の表示手段を備えたヘアスタイルアドバイスシステムであって、演算手段が、
複数の頭部画像についての
(a)顔型形状データ、
(b)毛髪領域を複数領域に区分した場合の特定領域同士の面積の対比データ（以下、髪型形状データという）、及び
(c)顔型とヘアスタイルの似合いの評価
から得られた顔型とヘアスタイルの似合いの評価の高い顔型形状データと髪型形状データとの関係（以下、似合い関係という）を記憶する機能、
頭部画像から顔型形状データ及び髪型形状データを取得する機能、及び
前記似合い関係に基づき、任意の頭部画像の顔型と任意の頭部画像のヘアスタイルの似合いを評価する機能
を有するヘアスタイルアドバイスシステムであって、
(a) 顔型形状データとして、頭部画像における、両眼の中心を通る直線（以下、眼ラインという）に平行で上唇の最上部を通る直線上の顔の輪郭線の幅（以下、顎幅という）Ｘ1 と眼ライン上の顔の輪郭線の幅（以下、顔幅という）Ｘ2 との比Ｘ1/Ｘ2（以下、顎幅比という）、及び眼ラインに平行で顎の最下部を通る直線と眼ラインとの距離（以下、顔長さという）Ｙ1 と顔幅Ｘ2 との比Ｙ1/Ｘ2（以下、顔長さ比という）を使用し、
(c)顔型とヘアスタイルの似合いの評価として、頭部画像に対して複数の美容専門家から取得した似合いの良否についての評価スコアの平均値を使用するヘアスタイルアドバイスシステム。
【請求項６】
複数のヘアスタイル画像をその髪型形状データと共に記憶する機能、
前記似合い関係に基づき、被験者の頭部画像の顔型形状データから被験者の顔型に似合うヘアスタイルの髪型形状データを得る機能、
得られた髪型形状データを有するヘアスタイル画像を、前記複数のヘアスタイル画像の中から選択する機能を有する請求項５記載のヘアスタイルアドバイスシステム。
【発明の詳細な説明】
【技術分野】
【０００１】
本発明は、顔型とヘアスタイルのボリューム感に基づいてヘアスタイルの似合いを評価するヘアスタイルアドバイス方法及びそのためのシステムに関する。
【背景技術】
【０００２】
一般に、消費者は、自己のヘアスタイルを決定するにあたり、雑誌やカタログ等で眼にする種々のヘアスタイルの中からＴＰＯを考慮しつつ自己の好みに合ったものを選択しているが、そうして選択したヘアスタイルが、必ずしもその消費者に似合っているとは限らない。
【０００３】
また、美容院、ヘアサロン等において美容専門家は、消費者からどのようなヘアスタイルにしたらよいかについてアドバイスを求められることがあるが、種々のヘアスタイルの中からその消費者に似合いかつ消費者の好みに合うヘアスタイルを選択することは、容易ではない。
【０００４】
これに対し、ヘアスタイルの決定に際して、顔と髪の境界（インナーライン）とヘアスタイルの外側のライン（アウターライン）から顔の輪郭やイメージを把握し、これらがヘアスタイルのバランスや形、あるいはイメージに合うか否かを、「大人」、「子供」、「直線」、「曲線」等の言葉によるイメージマップを用いて調べる方法が提案されている（特許文献１）。
【０００５】
また、消費者の性格等の内面情報と顔立ち等の外面情報を、言葉によるイメージサークルにマッピングし、そこに消費者がなりたいイメージを重ね、ヘアスタイルを決定していく方法が提案されている（特許文献２）。
【先行技術文献】
【特許文献】
【０００６】
【特許文献１】特開平１１−５６４６９号公報
【特許文献２】特開２００１−２１１９３３号公報
【発明の概要】
【発明が解決しようとする課題】
【０００７】
従来の方法は、いずれも顔形状やヘアスタイルを、特定の言葉で表現されるイメージにクラスター化し、当該ヘアスタイルが消費者に似合うか否かをクラスター単位で判断するものである。しかし、消費者の顔形状やヘアスタイルによっては、それらのイメージがいずれのクラスターに区分されるものか明確でない場合がある。このため、従来の方法では、消費者に似合わないヘアスタイルを提案する事態も生じる。
【０００８】
そこで、本発明は、或るヘアスタイルが消費者に似合うか否かを、連続的な数値をとる指標を用いてできる限り客観的な手法で判断し、常に消費者に似合うヘアスタイルを提案できるようにすることを目的とする。
【課題を解決するための手段】
【０００９】
本発明者は、ヘアスタイルのボリューム感の分布の特徴が、ヘアスタイルを複数領域に区分した場合の特定領域間の面積の対比データ（以下、髪型形状データという）で表され、この髪型形状データと顔型形状データとによってヘアスタイルの似合いの良否を判断できることを見出した。
【００１０】
即ち、本発明は、複数の頭部画像についての
(a)顔型形状データ、
(b)髪型形状データ、及び
(c)顔型とヘアスタイルの似合いの評価
から得られた、顔型とヘアスタイルの似合いの評価の高い顔型形状データと髪型形状データとの関係（以下、似合い関係という）に基づき、
任意の頭部画像の顔型と任意の頭部画像のヘアスタイルの似合いを評価するヘアスタイルアドバイス方法を提供する。
【００１１】
また、本発明は、上述のヘアスタイルアドバイス方法を実施するシステムとして、画像の取得手段、演算手段及び画像の表示手段を備えたヘアスタイルアドバイスシステムであって、演算手段が、
複数の頭部画像についての
(a)顔型形状データ、
(b)髪型形状データ、及び
(c)顔型とヘアスタイルの似合いの評価
から得られた顔型とヘアスタイルの似合い関係を記憶する機能、
頭部画像から顔型形状データ及び髪型形状データを取得する機能、及び
前記似合い関係に基づき、任意の頭部画像の顔型と任意の頭部画像のヘアスタイルの似合いを評価する機能、
を有するヘアスタイルアドバイスシステムを提供する。
【００１２】
なお、本発明において、頭部画像とは、顔領域と毛髪領域を含む画像をいい、また、実際の人の頭部画像の他に、画像合成による頭部画像を含む。
【００１３】
また、顔型とは、一般に、丸顔、四角顔、三角顔、面長顔、卵顔等で表される顔の外形形状をいう。顔内部の眉毛、眼、鼻、口等の形状は含まず、それらによってもたらされるイメージの如何にも関わらない。
【発明の効果】
【００１４】
本発明のヘアスタイルアドバイス方法及びヘアスタイルアドバイスシステムによれば、顔形状やヘアスタイルをそれらのイメージによってクラスター化することなく、顔型形状データと髪型形状データという連続的数値をとり得るデータを使用して顔型とヘアスタイルの似合いを客観的に評価するので、個人個人によって異なる顔型に厳密に対応してヘアスタイルの似合いを評価することができる。よって、個々の消費者に似合わないヘアスタイルを提示するという事態をなくすことができ、消費者は、提示されたヘアスタイルの中から自己の好みにあうヘアスタイルを安心して選択することができる。また、消費者は現在のヘアスタイルが似合っているか否かについて客観的な評価を得ることができる。
【図面の簡単な説明】
【００１５】
【図１】図１は、ヘアスタイルアドバイス方法の一実施例の流れ図である。
【図２】図２は、一実施例のヘアスタイルアドバイスシステムのブロック図である。
【図３】図３は、顔型の形状データや髪型形状データの取得方法の説明図である。
【図４】図４は、顔型とヘアスタイルの異なる種々の頭部合成画像の一覧である。
【図５Ａ】図５Ａは、顎幅比とトップボリューム比との関係図である。
【図５Ｂ】図５Ｂは、顔長さ比とトップボリューム比との関係図である。
【図５Ｃ】図５Ｃは、顎幅比とボトムボリューム比との関係図である。
【図５Ｄ】図５Ｄは、顔長さ比とボトムボリューム比との関係図である。
【図６Ａ】図６Ａは、被験者の頭部画像である。
【図６Ｂ】図６Ｂは、トップボリューム比もボトムボリューム比も上限ラインと下限ラインの間にあるヘアスタイル画像と被験者の顔画像との合成画像である。
【図６Ｃ】図６Ｃは、トップボリューム比が上限ラインを超えるヘアスタイル画像と被験者の顔画像との合成画像である。
【図６Ｄ】図６Ｄは、ボトムボリューム比が上限ラインを超えるヘアスタイル画像と被験者の顔画像との合成画像である。
【発明を実施するための形態】
【００１６】
以下、本発明を図面を参照しつつ詳細に説明する。なお、各図中、同一符号は同一又は同等の構成要素を表している。
【００１７】
図１は、本発明のヘアスタイルアドバイス方法の一実施例を示す流れ図であり、図２は、このヘアスタイルアドバイス方法を実施するヘアスタイルアドバイスシステムのブロック図である。
【００１８】
このシステム１０は、パソコン本体１、並びにパソコン本体１に接続されたディスプレイ２、デジタルカメラ３、イメージスキャナ４及びプリンタ５等から構成されており、インターネットとも接続可能となっている。
【００１９】
パソコン本体１は、複数の頭部画像を、顔型形状データ、髪型形状データ等の付帯情報と共に記憶する機能、頭部画像から毛髪領域、顔領域等の特定領域を抽出する機能、抽出した領域を指定した方法で分割し、それぞれの領域の面積を計測する機能、指定した部位の長さを計測する機能、画像の拡大縮小機能、画像の移動機能、画像の合成機能、数値計算機能、グラフ作成機能等を有する演算手段として設けられており、それにより後述する本発明の方法の実施に必要なデータの蓄積、似合い関係の関数の算出、評価等を行うことを可能としている。なお、個々の機能は、市販の画像処理ソフト及び表計算ソフトなどをパソコン本体に搭載することにより得ることができる。
【００２０】
デジタルカメラ３及びイメージスキャナ４はそれぞれ、パソコン本体１に頭部画像等の画像を取得させる画像取得手段として設けられている。
【００２１】
ディスプレイ２は、パソコン本体１が取り込んだ頭部画像、パソコン本体１が蓄積している頭部画像、パソコン本体１で合成した頭部画像、パソコン本体１でグラフに展開した似合い関係等を適宜表示する。
【００２２】
図１のヘアスタイルアドバイス方法では、まず、本発明に特徴的な「似合い関係」を求めておく。本発明者の知見によれば、(1)丸顔、四角顔、三角顔、面長顔、卵顔等といった顔型と、ヘアスタイルにおいてトップ、ミドル、ボトムのいずれにボリュームがあるかというヘアスタイルのボリューム感の分布の特徴とによって、個々の頭部画像におけるヘアスタイルの似合いの良否が大きく左右され、この場合に(2)顔型は、顔型の計測値による顔型形状データで表わすことができ、(3)ヘアスタイルのボリューム感の分布は、頭部画像における毛髪領域を複数領域に区分した場合の特定領域同士の面積比等の対比データで表わすことができ、したがって、(4)多数の頭部画像のそれぞれについて、顔型形状データと髪型形状データを求めると共に、顔型とヘアスタイルの似合いを評価しておき、これらの関係を求めると、この似合いの評価の高い顔型形状データと髪型形状データとには一定の関係が得られる。
【００２３】
この似合い関係を求める具体的手法としては、まず、パソコン本体１に、図３に示すように頭部画像を取得する。この頭部画像の取得は、デジタルカメラ３で被験者を撮り、その画像データをパソコン本体１に取り込ませることによってもよく、イメージスキャナ４で被験者の頭部写真を読み取ることによってもよく、インターネット等の通信回線を利用して取得してもよい。なお、ヘアスタイルの似合いの評価精度を高める点から、正面画像を取得することが好ましい。
【００２４】
次に、(a)顔型形状データとして、両目の中心を通る直線（以下、眼ラインという）Ｌ6に平行で上唇の最上部を通る直線（以下、上唇ラインという）Ｌ4 上の顔の輪郭線Ｌ0 の幅（以下、顎幅という）Ｘ1 と眼ラインＬ6 上の顔の輪郭線Ｌ0 の幅（以下、顔幅という）Ｘ2 との比Ｘ1/Ｘ2（以下、顎幅比という）、及び眼ラインＬ6 に平行で顎の最下部を通る直線（以下、顎先ラインという）Ｌ2 と眼ラインＬ6 との距離（以下、顔長さという）Ｙ1 と顎幅Ｘ2 との比Ｙ1/Ｘ2（以下、顔長さ比という）を取得する。なお、このように眼ラインＬ6 と平行な直線を考えることにより、頭部画像が正立していない場合でも本発明の方法を適用することが可能となる。また、眼ラインＬ6 と顔の輪郭線Ｌ0 との交点が毛髪で隠れている場合には、毛髪で隠れていない顔の輪郭線Ｌ0 を外挿して眼ラインＬ6 と顔の輪郭線Ｌ0 との交点を求めてもよく、あるいは、一律に両眼の間隔の所定倍数を顔幅Ｘ1 としてもよい。
【００２５】
この顎幅比Ｘ1/Ｘ2 が１に近いほど四角顔であり、１よりも大きいほど三角顔であり、１よりも小さいほど逆三角顔である。また、顔長さ比Ｙ1/Ｘ2 が１よりも大きいほど面長顔であり、１よりも小さいほど幅広顔である。
【００２６】
この顎幅比Ｘ1/Ｘ2 や顔長さ比Ｙ1/Ｘ2 を求めるにあたり、顔の輪郭線は、本システム１０の操作者が、ディスプレイ２に表示された頭部画像上で指定してもよく、エッジ検出や肌色領域の検出を利用した公知の方法で自動的に取得されるようにしてもよい。上唇および眉の最上部の位置や眼の位置も、本システム１０の操作者がディスプレイ２に表示された頭部画像上で指定してもよく、画像をフェードアウトした後漸次フェードインして眼の位置を自動的に検出する方法（画像の認識・理解シンポジウム（MIRU2006），論文集CD-ROM，IS1-18「顔パーツ（髪・眉・目・鼻・口）検出の高精度化と実用化」，2006.7.19発行）を使用してもよい。
【００２７】
なお、顔型形状データとしては、上述の顎幅比Ｘ1/Ｘ2 や顔長さ比Ｙ1/Ｘ2 に限らず、顎先鋭敏度Ｘ1/Ｘ3 等を使用してもよい。ここで、Ｘ3 は、顎先ラインＬ2 と上唇ラインＬ4 との中間を通る直線Ｌ3 上の顔の輪郭線Ｌ0 の幅である。
【００２８】
一方、ヘアスタイルのボリューム感の分布に関し、(b)髪型形状データを取得する。より具体的には、図３に示す正面頭部画像において、眼ラインＬ6 に平行で頭頂部を通る直線（以下、頭頂ラインという）Ｌ8 と眼ラインＬ6 に平行で眉の最上部の高い方を通る水平線（眉ライン）Ｌ7 との間の毛髪領域の面積を髪トップ面積Ａ1、眉ラインＬ7 と上唇ラインＬ4 との間の毛髪領域の面積を髪ミドル面積Ａ2、眼ラインＬ6 に平行で鎖骨の最上部を通る直線Ｌ1 と上唇ラインＬ4 との間の毛髪領域の面積を髪ボトム面積Ａ3 とした場合の、髪トップ面積Ａ1と髪ミドル面積Ａ2 との比Ａ1/Ａ2（以下、トップボリューム比という）、及び髪ボトム面積Ａ3 と髪ミドル面積Ａ2 との比Ａ3/Ａ2（以下、ボトムボリューム比という）を求める。
【００２９】
このトップボリューム比Ａ1/Ａ2 が大きいヘアスタイルは、トップにボリュームがあり、この比が小さいヘアスタイルはトップにボリュームがない。また、ボトムボリューム比Ａ3/Ａ2 が大きいヘアスタイルは、ボトムにボリュームがあり、この比が小さいヘアスタイルはボトムにボリュームがなく、この比がゼロの場合にはショートカットとなる。
【００３０】
トップボリューム比Ａ1/Ａ2 やボトムボリューム比Ａ3/Ａ2 を求めるにあたり、毛髪領域は本システム１０の操作者がディスプレイ２に表示された頭部画像上で指定してもよく、エッジ検出や髪の色を利用した公知の方法で自動的に取得されるようにしてもよい。
【００３１】
なお、髪型形状データとしては、上述のトップボリューム比Ａ1/Ａ2 やボトムボリューム比Ａ3/Ａ2 に限らず、トップボトムボリューム比Ａ4/Ａ5 等を使用してもよい。ここで、Ａ4 は、眉ラインＬ7 と上唇ラインＬ4 との中間を通る直線（以下、中央ラインという）Ｌ5 と頭頂ラインＬ8 との間の毛髪領域の面積、Ａ5 は、中央ラインＬ5 と顎先ラインＬ2 との間の毛髪領域の面積を表す。
【００３２】
(c)顔型とヘアスタイルの似合いの評価としては、頭部画像に対し似合いの良否について、例えば、３〜５段階の評価スコアを複数の美容専門家から取得し、その平均値を似合いの評価値とする。
【００３３】
このような、(a)顔型形状データ、(b)髪型形状データ、及び(c)顔型とヘアスタイルの似合いの評価値の取得を、顔型とヘアスタイルが異なる種々の頭部画像に対して行い、その結果を蓄積する。その場合、種々の頭部画像としては、実際の人の頭部画像を使用してもよく、或る人の頭部画像の毛髪領域に、ヘアスタイルが異なる別人の頭部画像の毛髪領域を重ねた合成画像から得てもよい。例えば、図４に示すように、複数の被験者の顔画像（丸顔、卵顔、面長顔、…）とヘアスタイル画像（ヘアスタイル１、ヘアスタイル２、ヘアスタイル３、…）を組み合わせて頭部画像を合成する。これにより、顔型とヘアスタイルの異なる頭部画像の多数を容易に得ることが可能となる。
【００３４】
こうして蓄積した、(a)顔型形状データ、(b)髪型形状データ、及び(c)ヘアスタイルの似合いの評価値を用い、似合いの評価の高い顔型とヘアスタイルの組み合わせか否かの評価を可能にする顔型形状データと髪型形状データとの関係（似合い関係）を求める。
【００３５】
似合い関係を求める具体的な方法としては、例えば、図４に示した方法で得た多数の頭部画像を用い、顔型形状データ（顎幅比又は顔長さ比）に対して髪型形状データ（トップボリューム比又はボトムボリューム比）をプロットし、各顔型形状データにおいて似合いの評価値が高くなる髪型形状データの分布幅のうち最高値と最低値を求める。図５Ａ〜図５Ｄは、こうして求めた最高値と最低値のプロットを示している。
【００３６】
したがって、図５Ａ〜図５Ｄにおいて、上限ラインと下限ラインの間の領域が、顔型とヘアスタイルの似合い評価が高い範囲である。ここで上限ラインは、各顎幅比又は顔長さ比におけるトップボリューム比又はボトムボリューム比の最高値について回帰式をたてることにより得、下限ラインは、同様に最低点について回帰式をたてることにより得たものである。この上限ラインと下限ラインの算出は、パソコン本体１で、複数の頭部画像について、顔型形状データと髪型形状データと似合いの評価が蓄積されていくのと同時に計算が更新されていくようにしてもよい。
【００３７】
この似合い関係により、例えば、図５Ａから、顎幅比Ｘ1/Ｘ2 が０．８程度の逆三角顔も、顎幅比Ｘ1/Ｘ2 が１程度の四角顔も、それらの中庸の顔に比して、トップボリューム比Ａ1/Ａ2 を大きくできる範囲（即ち、トップのボリュームを重くできる許容幅）が狭いことがわかる。
【００３８】
また、図５Ｂから、顔長さ比Ｙ1/Ｘ2 とトップボリューム比Ａ1/Ａ2 の関係がわかり、例えば、この顔長さ比Ｙ1/Ｘ2 が０．９５程度の面長顔も、顔長さ比Ｙ1/Ｘ2 が０．７５程度の幅広顔も、それらの中庸の顔に比してトップボリューム比Ａ1/Ａ2 を大きくできる範囲（即ち、トップのボリュームを重くできる許容幅）が狭いこと、顔長さ比Ｙ1/Ｘ2 が０．７５程度の幅広顔ではトップボリューム比Ａ1/Ａ2 の許容最低値が面長顔よりも高く、トップボリュームを過度に小さくしたヘアスタイルが似合い難いことがわかる。
【００３９】
同様に、図５Ｃから、顎幅比Ｘ1/Ｘ2 が０．８程度の逆三角顔は、顎幅比Ｘ1/Ｘ2 が１程度の四角顔に比して、ボトムボリューム比Ａ3/Ａ2 を大きくできる範囲（即ち、ボトムのボリュームを重くできる許容幅）が狭いことがわかる。
【００４０】
また、図５Ｄから、顔長さ比Ｙ1/Ｘ2 が０．９５程度の面長顔は、顔長さ比Ｙ1/Ｘ2 が０．７５程度の幅広顔に比してボトムボリューム比Ａ3/Ａ2 を大きくできる範囲（即ち、ボトムのボリュームを重くできる許容幅）およびボトムボリューム比Ａ3/Ａ2 を小さくできる範囲（即ち、ボトムのボリュームを軽くできる許容幅）が狭いことがわかる。
【００４１】
そこで、本発明の方法により被験者の当該ヘアスタイルの似合いを評価する場合には、被験者の頭部画像を取得し、その頭部画像から顔型形状データと髪型形状データを取得する。そして、取得した顔型形状データと髪型形状データから、上述の似合い関係に基づき、被験者の顔型とヘアスタイルの似合いの良否を判断し、その結果をディスプレイ２に出力する。より具体的には、ある被験者の顎幅比がＸi1/Ｘi2 であり、顔長さ比がＹi1/Ｘi2 の場合、ヘアスタイルのトップボリュームについては、図５Ａから求まるトップボリューム比Ａ1/Ａ2 の範囲Ａt1 と図５Ｂから求まるトップボリューム比Ａ1/Ａ2 の範囲Ａt2 の重複範囲がこの被験者に似合っていることになり、同様に、ボトムボリュームについては、図５Ｃから求まるボトムボリューム比Ａ3/Ａ2 の範囲Ａb1 と図５Ｄから求まるボトムボリューム比Ａ3/Ａ2 の範囲Ａb2 の重複範囲がこの被験者に似合っていることになる。
【００４２】
そこで、被験者のヘアスタイルの髪型形状データのトップボリューム比とボトムボリューム比が、それぞれ上述の重複範囲にある場合に、被験者のヘアスタイルは被験者の顔型に似合っていると評価し、その旨をディスプレイ２に出力する。反対に、被験者のヘアスタイルのトップボリューム比又はボトムボリューム比のいずれか一方又は双方が上述の重複範囲から外れた場合には、似合っていないと評価し、その旨をディスプレイ２に出力する。
【００４３】
また、本発明の方法によりある被験者に、新たにヘアスタイルを提案する場合には、予め、パソコン本体１に複数のヘアスタイル画像をその髪型形状データと共に記憶させておく。あるいは、通信回線を利用して、これらのデータをパソコン本体１で利用できるようにしておく。
【００４４】
次に、被験者の当該ヘアスタイルの似合いを評価する場合と同様に、被験者の頭部画像を取得し、その頭部画像から顔型形状データを取得する。そして、図５Ａ及び図５Ｂから、被験者の顔型に似合うヘアスタイルのトップボリューム比を取得し、また図５Ｃ及び図５Ｄから、被験者の顔型に似合うヘアスタイルのボトムボリューム比を取得し、このトップボリューム比とボトムボリューム比の双方を満足するヘアスタイルを、記憶しておいた複数のヘアスタイル画像の中から選択し、被験者に提示する。この場合、こうして選択したヘアスタイル画像は一覧でディスプレイ２に表示してもよく、順次切り替えて表示してもよい。また、この提示に際し、選択したヘアスタイル画像と、被験者の顔画像とを合成したシミュレーション画像を提示することが好ましい。このシミュレーション画像の合成は、ヘアスタイル画像の元となる顔画像の顔幅Ｘ2 と被験者の顔画像の顔幅Ｘ2 とが一致するようにヘアスタイル画像の横方向の倍率を適宜調整し、また、ヘアスタイル画像の元となる顔画像の上唇ラインＬ4 と眉ラインＬ7 の距離と被験者の上唇ラインＬ4 と眉ラインＬ7 の距離とが一致するようにヘアスタイル画像の縦方向の倍率を適宜調整した後、ヘアスタイル画像と被験者の顔画像とを重ね合わせることにより得ることができる。
【００４５】
また、被験者の顔型に似合うトップボリューム比のヘアスタイルのトップ側と、被験者の顔型に似合うボトムボリューム比のヘアスタイルのボトム側とを適宜組み合わせて合成したヘアスタイル画像を被験者に提示してもよい。
【００４６】
本発明の方法は、上述のように被験者に、当該ヘアスタイルが被験者の顔型に似合っているか否かをアドバイスする場合や、被験者に似合うヘアスタイルを新たに提案する場合の他、任意の頭部画像について、美容技術者が好ましいヘアスタイルを研究する場合等においても有用となる。
【実施例】
【００４７】
（１）似合い関係の取得
５０人の頭部画像を取得し、それぞれの顔画像とヘアスタイル画像を組み合わせて図４に示した方法で１２００通りの頭部画像を得、各頭部画像について、顔型形状データとして顎幅比Ｘ1/Ｘ2 と顔長さ比Ｙ1/Ｘ2 を取得し、髪型形状データとしてトップボリューム比Ａ1/Ａ2 とボトム比Ａ3/Ａ2 を取得した。また、各頭部画像について、５名の美容専門家から、次の３段階の似合いの評価スコア
３：似合う
２：似合うとは言えないが許容範囲
１：似合わない
を得、その平均を算出した。そして、各頭部画像の顎幅比又は顔長さ比とトップボリューム比又はボトムボリューム比とをプロットし、似合いの評価スコアの平均値が２．４以上となる頭部画像について、図５Ａ〜図５Ｄと同様に最高値と最低値を求め、その上限ラインと下限ラインを直線回帰により求めた。
【００４８】
（２）被験者のヘアスタイルの評価
（１）の５０人とは別に、被験者Ａから図６Ａに示す頭部画像を取得し、その顎幅比Ｘ1/Ｘ2、顔長さ比Ｙ1/Ｘ2、トップボリューム比Ａ1/Ａ2、ボトムボリューム比Ａ3/Ａ2 を求めた。その結果、被験者Ａのトップボリューム比は、顎幅比Ｘ1/Ｘ2 との関係でも顔長さ比Ｙ1/Ｘ2 との関係でも似合い関係の評価の上限ラインを超え、ボトムボリューム比は、顎幅比Ｘ1/Ｘ2 との関係においても、顔長さ比Ｙ1/Ｘ2 との関係においても、似合い関係の評価の上限ラインと下限ラインの間にあった。
【００４９】
また、被験者Ａの顎幅比と顔長さ比について、トップボリューム比が顎幅比との関係でも、顔長さ比との関係でも上限ラインと下限ラインとの間にあり、かつボトムボリューム比が顎幅比との関係でも、顔長さ比の関係でも上限ラインと下限ラインとの間にあるヘアスタイルを選択し、そのヘアスタイル画像を被験者Ａの顔画像と合成した。この合成画像を図６Ｂに示す。
【００５０】
反対に、顎幅比Ｘ1/Ｘ2 との関係でも顔長さ比Ｙ1/Ｘ2 との関係でもトップボリューム比が上限ラインを超えるヘアスタイルを選択し、そのヘアスタイル画像を被験者Ａの顔画像と合成した。この合成画像を図６Ｃに示す。
【００５１】
また、顎幅比Ｘ1/Ｘ2 との関係でボトムボリューム比Ａ3/Ａ2 が上限ラインを超えるヘアスタイルを選択し、そのヘアスタイル画像を被験者Ａの顔画像と合成した。この合成画像を図６Ｄに示す。
【００５２】
そして、図６Ａ〜図６Ｄの各画像に対し、上記５名とは別の３名の美容専門家が似合いを評価したところ、評価スコアの平均値は、図６Ａが２．０、図６Ｂが３．０、図６Ｃが１．３、図６Ｄが１．７であった。
【産業上の利用可能性】
【００５３】
本発明のヘアスタイルアドバイス方法及びヘアスタイルアドバイスシステムは、美容院、ヘアサロン等においてヘアスタイルの似合いの評価をする場合に有用となる。
【符号の説明】
【００５４】
１ パソコン本体
２ ディスプレイ
３ デジタルカメラ
４ イメージスキャナ
５ プリンタ
１０ ヘアスタイルアドバイスシステム
Ａ1 髪トップ面積
Ａ2 髪ミドル面積
Ａ3 髪ボトム面積
Ｌ0 顔の輪郭線
Ｌ1 眼ラインＬ6 に平行で鎖骨の最上部を通る直線
Ｌ2 顎先ライン
Ｌ4 上唇ライン
Ｌ6 眼ライン
Ｌ7 眉ライン
Ｌ8 頭頂ライン
Ｘ1 顎幅
Ｘ2 顔幅
Ｙ1 顔長さ
【図１】
2011101823.tif 000003
【図２】
2011101823.tif 000004
【図５Ａ】
2011101823.tif 000005
【図５Ｂ】
2011101823.tif 000006
【図５Ｃ】
2011101823.tif 000007
【図５Ｄ】
2011101823.tif 000008
【図３】
2011101823.tif 000009
【図４】
2011101823.tif 000010
【図６Ａ】
2011101823.tif 000011
【図６Ｂ】
2011101823.tif 000012
【図６Ｃ】
2011101823.tif 000013
【図６Ｄ】
2011101823.tif 000014